(57)【特許請求の範囲】
【請求項１】
エアーバッグをガス圧で外方に向けて膨張展開可能に組み付けたエアーバッグ装置を備え、そのエアーバッグ装置をバックパッドの側部に設けた空洞部の内部に収容させてシートフレームに取り付け、このエアーバッグ装置の装備側を被包するトリムカバーの縫い合わせ目からエアーバッグの膨張展開に伴うトリムカバーの破断部を形成するエアーバッグ装置装備シートにおいて、トリムカバーの側面カバー部に面する前壁部と、その前壁部より立ち上がる前後の側壁部とを有し、薄肉な脆弱部による破断部を前側壁部との縁辺に沿って前壁部の面内に設け、この破断部を設けた前壁部の縁辺から連続させて張出しフランジ部を設け、更に、各側壁部の端部より面内に位置させて止め穴を設けたモジュールホルダーを備えると共に、そのモジュールホルダーの各側壁部に設けた止め穴と係合する掛止めフックを両端部に設けたベースプレートを備え、
トリムカバーの破断部を側面カバー部の縫い合わせ目で側面カバー部の面内に設け、そのトリムカバーの破断部と前壁部の破断部とを整合させてモジュールホルダーを側面カバー部の内側に配置すると共に、トリムカバーの破断部を介して両側の隣接位置で前壁部並びに張出しフランジ部の各板面を側面カバー部と個別に縫い合わせてモジュールホルダーをトリムカバーの内側に取り付け、一方、ベースプレートをエアーバッグ装置と共にシートフレームの板面に取り付け、このベースプレートの掛止めフックと各側壁部の止め穴とを係合させてエアーバッグ装置をモジュールホルダーで収容保持してなることを特徴とするエアーバッグ装置装備シート。
【請求項２】
ベースプレートの掛止めフックを係合する各側壁部の止め穴から端部縁を肉厚な補強縁として形成したモジュールホルダーを組み付けてなることを特徴とする請求項１に記載のエアーバッグ装置装備シート。
【発明の詳細な説明】
【０００１】
【発明の属する技術分野】
本発明は、エアーバッグをガス圧で外方に向けて膨張展開可能に組み付けたエアーバッグ装置を備え、そのエアーバッグ装置の装備側を被包するトリムカバーの縫い合わせ目からエアーバッグの膨張展開に伴うトリムカバーの破断部を形成するエアーバッグ装置装備シートの改良に関するものである。
【０００２】
【従来の技術】
一般に、エアーバッグ装置装備シートにおいては、トリムカバーを袋状に縫製する前面カバー部と側面カバー部との縫い合わせ目からトリムカバーの破断部を形成するものが提案されている（特開平１１−７８７６２号）。
【０００３】
そのエアーバッグ装置装備シートでは、トリムカバーの破断部が前面カバー部と側面カバー部との縫い合わせ目で形成されているところ、トリムカバーの破断部がエアーバッグ装置の装備位置より距離的に離れている。このため、膨張展開するエアーバッグがトリムカバーの破断部に到達するのに多少の時間を要する。
【０００４】
これに対し、薄肉な脆弱部による破断部をトリムカバーの側面カバー部と面する前壁部の面内に設けた略中空函のモジュールハウジングを備え、スリット状の開放口を側面カバー部の面内に設けると共に、その側面カバー部の開口部を隔てて両側の開口縁をモジュールカバーの前壁部並びに側部に止め具で止着固定するものが提案されている（特開平１１−２５５０６２号）。
【０００５】
このエアーバッグ装置装備シートでは、トリムカバーの開口部とモジュールハウジングの脆弱部による破断部とを整合位置でき、トリムカバーの材質等に関係なく、モジュールハウジングの破断部から膨張するエアーバッグをトリムカバーの開口部より外方に向けて直ちに展開させられるところから好ましい。
【０００６】
然し、そのエアーバッグ装置装備シートでは、側面カバー部の開口部を隔てて両側の開口縁をモジュールハウジングの前壁部並びに側部に止め具で止着固定することから、構造が全体的に複雑なものになるばかりでなく、この側面カバー部の開口縁をモジュールハウジングに止め具で止着固定しても、その開放口が捲れ上がってモジュールハウジングを開口部の隙間より外部に露出することにより体裁が損なわれることが懸念される。
【０００７】
【発明が解決しようとする課題】
本発明は、トリムカバーの破断部を縫い合わせ目で形成することから内部の露出を防ぐと共に、薄肉な脆弱部による破断部をトリムカバーの側面カバー部と面する前壁部に設けたモジュールホルダーを備え、各破断部を整合位置させてエアーバッグの膨張圧を各破断部に効果的に作用させてエアーバッグを速やかに膨張展開可能に体裁よく簡単に組み立てられるエアーバッグ装置装備シートを提供することを目的とする。
【０００８】
【課題を解決するための手段】
本発明の請求項１に係るエアーバッグ装置装備シートにおいては、トリムカバーの側面カバー部に面する前壁部と、その前壁部より立ち上がる前後の側壁部とを有し、薄肉な脆弱部による破断部を前側壁部との縁辺に沿って前壁部の面内に設け、この破断部を設けた前壁部の縁辺から連続させて張出しフランジ部を設け、更に、各側壁部の端部より面内に位置させて止め穴を設けたモジュールホルダーを備えると共に、そのモジュールホルダーの各側壁部に設けた止め穴と係合する掛止めフックを両端部に設けたベースプレートとを備え、
トリムカバーの破断部を側面カバー部の縫い合わせ目で側面カバー部の面内に設け、そのトリムカバーの破断部と前壁部の破断部とを整合させてモジュールホルダーを側面カバー部の内側に配置すると共に、トリムカバーの破断部を介して両側の隣接位置で前壁部並びに張出しフランジ部の各板面を側面カバー部と個別に縫い合わせてモジュールホルダーをトリムカバーの内側に取り付け、一方、ベースプレートをエアーバッグ装置と共にシートフレームの板面に取り付け、このベースプレートの掛止めフックと各側壁部の止め穴とを係合させてエアーバッグ装置をモジュールホルダーで収容保持することにより構成されている。
【０００９】
本発明の請求項２に係るエアーバッグ装置装備シートにおいては、ベースプレートの掛止めフックを係合する各側壁部の止め穴から端部縁を肉厚な補強縁として形成したモジュールホルダーを組み付けることにより構成されている。
【００１０】
【発明の実施の形態】
以下、図示実施の形態に基づいて説明すると、図１のエアーバッグ装置装備シートはエアーバッグ装置１をサイド部に備え付けたシートバックＢを示す。そのエアーバッグ装置１は、特に図示しないガス発生用のインフレータ，ガス圧により膨張展開可能に折り畳んだエアーバッグを備え、それを後述するモジュールホルダーで収容することによりシートバックＢの内部に装備されている。
【００１１】
そのエアーバッグ装置１は、バックパッド２の側部に設けた空洞部３に収容配置すると共に、シートバックフレーム４のサイドプレート５にあてがって締付けボルト６でサイドプレート５の板面に取付け固定し、空洞部３を含むバックパッド２の全体をトリムカバー７で被包することによりシートバックＢの内部に装備されている。
【００１２】
トリムカバー７としては、本革，合皮，ファブリック等の単材または表皮材，ワディング材，裏打材を三者一体に積層形成したワディングカバーを用いて形成できる。このトリムカバー７は土手部を有するシートバックＢに対応し、座面中央から左右の土手面を被包する前面カバー部７ａと周側面から背面に至る側面カバー部７ｂとを縫い合わせ、更に、背面カバー部７ｃをスライドファスナー７ｄで開閉自在に備えることにより袋状に縫製されている。
【００１３】
そのトリムカバー７には、図２で示すように側面カバー部７ｂを前後二つのカバー部７０，７１に分け、この前後二つのカバー部７０，７１の縫い合わせ目から、エアーバッグの膨張展開に伴う破断部８が側面カバー部７ｂの面内に設けられている。その破断部８となる縫い合わせ目は、８番手程度の糸と２０番手程度の糸とを上下の縫い糸として縫い合わせることにより通常の使い勝手に耐えられる強度を保ってエアーバッグの膨張力で裂断し易いよう縫製できる。
【００１４】
そのトリムカバー７の破断部８となる縫い合わせ目は、少なくともエアーバッグ装置１の装備個所に相応させて設け、この破断部８に相当する部分を除き、残余は前後二つのカバー部７０，７１を一般面と同様に縫い合わすことにより側面カバー部７ｃとして形成するようにできる。
【００１５】
そのトリムカバー７の内側には、ポリプロピレン等から樹脂成形したモジュールホルダー９が備え付けられている。このモジュールホルダー９としては、トリムカバー７の側面カバー部７ｂに面する前壁部９０と、その前壁部９０より立ち上がる前後の側壁部９１，９２とから形成したものを備え付けられる。このモジュールホルダー９には、上下の各壁部を設けたものでも必要に応じて備え付けられる。
【００１６】
そのモジュールホルダー９には、Ｖ溝等を内面に設けて薄肉に形成した脆弱部による破断部９３が前側壁部９１との縁辺に沿って前壁部９０の面内幅方向に設けられている。また、破断部９３を設けた前壁部９０の縁辺から連続させて張出しフランジ部９４が設けられている。更に、各側壁部９１，９２の端部寄り面内に位置させて複数の止め穴９５…，９６…が所定の間隔毎に幅方向に並べて設けられている。
【００１７】
そのモジュールホルダー９は、図３で示すようにトリムカバー７の破断部８と前壁部９０の破断部９３と相整合させて側面カバー部７ｂの内側に配置すると共に、トリムカバー７の破断部８を介して両側の隣接位置で、前壁部９０並びに張出しフランジ部９４の各板面を破断部８の縫い合わせ目と夫々相平行させて前後の側面カバー部７０，７１と個別に縫い合わせることによりトリムカバー７の内側に取り付けられている。
【００１８】
そのモジュールホルダー９を備えると共に、ベースプレート１０が備え付けられている。このベースプレート１０としては金属プレートから形成したものを備え付けるとよく、両端部にはモジュールホルダー９の各側壁部９１，９２に設けた止め穴９５…，９６…と係合する複数個の掛止めフック１０ａ…，１０ｂ…が設けられている。
【００１９】
そのベースプレート１０は、エアーバッグ装置１と共に、シートバックフレーム４のサイドプレート５にあてがい、エアーバック装置１の締付けボルト６によりサイドプレートの５の板面に共締め固定されている。なお、締付けボルト６は軸線をエアーバッグの膨張展開方向と一致させる（図１中の矢印参照）よう配置すれば、エアーバッグ装置１を安定よく締付け固定できる。
【００２０】
そのベースプレート１０に対し、モジュールホルダー９はトリムカバー７をバックパッド２に被せる際に、各側壁部９１，９２を空洞部３から内部に挿置し、ベースプレート１０の掛止めフック１０ａ…，１０ｂ…と各側壁部９１，９２の止め穴９５…，９６…とを係合することによりエアーバッグ装置１を収容保持するよう組み付けられる。
【００２１】
このように構成するエアーバッグ装置装備シートでは、トリムカバー７の破断部８を縫い合わせ目で形成することから内部の露出を防げると共に、薄肉な脆弱部による破断部９３をトリムカバー７の側面カバー部７ｂと面する前壁部９０に設けたモジュールホルダー９を備えることにより、各破断部８，９３を整合位置させてモジュールホルダー９を容易に備え付けられ、また、エアーバッグの膨張圧を各破断部８，９３に効果的に作用させてエアーバッグを速やかに膨張展開可能に体裁よく簡単に組み立てられる。
【００２２】
そのエアーバッグ装置装備シートにおいては、図４で示す（片側のみ図示）ように掛止めフック１０ａ…を係合する各側壁部９１の止め穴９５…から端部縁を肉厚な補強縁９７で形成したモジュールホルダー９を組み付けるとよい。
【００２３】
これにより、エアーバッグの膨張展開に伴って、各側壁部９１がベースプレート１０から外れるのを確実に防げると共に、各側壁部９１の止め穴９５…より端部縁が肉厚な補強縁９７で伸び或いは切れるのを防げるため、エアーバッグの膨張圧を各破断部８，９３に集中作用できてエアーバッグを速やかに膨張展開可能に組み立てられる。
【００２４】
その他、上述した前壁部９０並びに張出しフランジ部９４の縫付け構造では、図２で示すように当該部の縫い目１１ａ，１１ｂを破断部８の縫い合わせ目と略平行させて側面カバー部７ｂの全長に亘るよう設けることから、縫い目１１ａ，１１ｂのダブルステッチ構造として装飾性を良好に保てるよう構成できる。
【００２５】
【発明の効果】
以上の如く、本発明の請求項１に係るエアーバッグ装置装備シートに依れば、トリムカバーの破断部を側面カバー部の縫い合わせ目で側面カバー部の面内に設け、そのトリムカバーの破断部と前壁部の破断部とを整合させてモジュールホルダーを側面カバー部の内側に配置すると共に、トリムカバーの破断部を介して両側の隣接位置で、前壁部並びに張出しフランジ部の各板面を側面カバー部と個別に縫い合わせてモジュールホルダーをトリムカバーの内側に取り付け、一方、ベースプレートをエアーバッグ装置と共にシートフレームの板面に取り付け、このベースプレートの掛止めフックと各側壁部の止め穴とを係合させてエアーバッグ装置をモジュールホルダーで収容保持することにより、トリムカバーの破断部を縫い合わせ目で形成することから内部の露出を防げると共に、トリムカバーの破断部と前壁部の破断部とを整合位置させてモジュールホルダーを容易に備え付けられ、また、エアーバッグの膨張圧を各破断部に効果的に作用させてエアーバッグを速やかに膨張展開できるよう体裁よく簡単に組み付けられる。
【００２６】
本発明の請求項２に係るエアーバッグ装置装備シートに依れば、ベースプレートの掛止めフックを係合する各側壁部の止め穴から端部縁を肉厚な補強縁として形成したモジュールホルダーを組み付けることにより、エアーバッグの膨張展開に伴って、各側壁部がベースプレートから外れるのを確実に防げると共に、各側壁部の止め穴より端部縁が肉厚な補強縁で伸び或いは切れるのを防げるため、エアーバッグの膨張圧を各破断部に集中作用できてエアーバッグを速やかに膨張展開できるよう組み付けられる。
【図面の簡単な説明】
【図１】本発明に係るエアーバッグ装置装備シートのエアーバッグ装置装備個所を示す部分断面図である。
【図２】本発明に係るエアーバッグ装置装備シートのシートバックを示す斜視図である。
【図３】本発明に係るエアーバッグ装置装備シートにおけるモジュールホルダーの縫着個所を示す部分断面図である。
【図４】本発明に係るエアーバッグ装置装備シートにおけるモジュールホルダーとベースプレートとの掛止め個所を示す部分断面図である。
【符号の説明】
１                  エアーバッグ装置
２                  バックパッド
３                  バックパッドの空洞部
４，５              シートフレーム
６                  エアーバッグ装置の締付けボルト
７                  トリムカバー
７ｂ                側面カバー部
７０                側面前カバー部
７１                側面後カバー部
８                  トリムカバーの破断部
９                  モジュールホルダー
９０                モジュールホルダーの前壁部
９１，９２          モジュールホルダーの側壁部
９３                モジュールホルダーの破断部
９４                モジュールホルダーの張出しフランジ部
９５…，９６…      モジュールホルダーの止め穴
９７                モジュールホルダーの補強縁
１０                ベースプレート
１０ａ…，１０ｂ…  ベースプレートの掛止めフック
【図１】
0004437307.tif 000002
【図２】
0004437307.tif 000003
【図３】
0004437307.tif 000004
【図４】
0004437307.tif 000005